【手続補正書】
【提出日】平成18年7月3日(2006.7.3)
【手続補正１】
【補正対象書類名】明細書
【補正対象項目名】発明の名称
【補正方法】変更
【補正の内容】
【発明の名称】情報処理装置およびその方法
【手続補正２】
【補正対象書類名】明細書
【補正対象項目名】特許請求の範囲
【補正方法】変更
【補正の内容】
【特許請求の範囲】
【請求項１】
入力されるディジタルコンテンツに埋め込まれた情報を抽出する抽出手段と、
前記抽出手段の抽出結果に基づき、前記ディジタルコンテンツの出力を制御し、前記抽出手段の抽出結果が埋め込まれた情報が抽出されなかったことを示す場合、前記ディジタルコンテンツを出力しない制御手段と、
前記制御手段の制御によって出力されたディジタルコンテンツを処理する処理手段と、
前記抽出手段によって抽出された情報に別の情報を合成する合成手段と、
前記合成手段によって合成された情報を、前記処理手段によって処理されたディジタルコンテンツに埋め込む埋込手段とを有することを特徴とする情報処理装置。
【請求項２】
前記合成手段によって合成される情報は著作権情報であることを特徴とする請求項1に記載された情報処理装置。
【請求項３】
前記合成手段によって合成される情報は前記処理手段の識別情報であることを特徴とする請求項1に記載された情報処理装置。
【請求項４】
前記合成手段は、前記処理手段から出力されるディジタルコンテンツの処理内容を示す処理情報を、前記抽出された情報に合成することを特徴とする請求項1に記載された情報処理装置。
【請求項５】
入力されるディジタルコンテンツに埋め込まれた情報を抽出し、
前記抽出の結果が埋め込まれた情報が抽出されなかったことを示す場合は前記ディジタルコンテンツを処理しないように、前記抽出の結果に基づき、前記ディジタルコンテンツの処理を制御し、
前記抽出された情報に別の情報を合成し、
前記合成された情報を、前記処理されたディジタルコンテンツに埋め込むことを特徴とする情報処理方法。
【請求項６】
暗号化されたディジタルコンテンツに埋め込まれた情報を抽出する抽出手段と、
前記抽出手段によって抽出された情報に含まれるデータを鍵として、前記ディジタルコンテンツを復号する復号手段と、
前記復号手段によって復号されたディジタルコンテンツを処理する処理手段と、
前記抽出手段によって抽出された情報に別の情報を合成する合成手段と、
前記処理手段によって処理されたディジタルコンテンツを暗号化する暗号化手段と、
前記合成手段によって合成された情報および前記暗号化手段から出力される鍵情報を、前記処理手段によって処理されたディジタルコンテンツに埋め込む埋込手段とを有することを特徴とする情報処理装置。
【請求項７】
前記合成手段によって合成される情報は著作権情報であることを特徴とする請求項6に記載された情報処理装置。
【請求項８】
前記合成手段は、前記処理手段から出力されるディジタルコンテンツの処理内容を示す処理情報を、前記抽出された情報に合成することを特徴とする請求項6に記載された情報処理装置。
【請求項９】
前記合成手段によって合成される情報は前記処理手段の識別情報であることを特徴とする請求項6に記載された情報処理装置。
【請求項１０】
暗号化されたディジタルコンテンツに埋め込まれた情報を抽出し、
前記抽出された情報に含まれるデータを鍵として、前記ディジタルコンテンツを復号し、
前記復号されたディジタルコンテンツを処理し、
前記抽出された情報に別の情報を合成し、
前記処理されたディジタルコンテンツを暗号化し、
前記合成された情報および前記暗号化に関する鍵情報を、前記処理されたディジタルコンテンツに埋め込むことを特徴とする情報処理方法。
【請求項１１】
入力されるディジタルコンテンツを処理するとともに、前記入力されたディジタルコンテンツに電子透かしデータが埋め込まれている場合は前記電子透かしデータを抽出して前記処理後のディジタルコンテンツを出力し、前記電子透かしデータが埋め込まれていない場合は前記処理後のディジタルコンテンツを出力しない処理手段と、
前記抽出された電子透かしデータに別の情報を合成する合成手段と、
前記合成手段によって処理された電子透かしデータを、前記処理後のディジタルコンテンツに埋め込む埋込手段とを有することを特徴とする情報処理装置。
【請求項１２】
前記合成手段によって合成される情報は著作権情報であることを特徴とする請求項11に記載された情報処理装置。
【請求項１３】
前記合成手段によって合成される情報は、前記処理手段によってディジタルコンテンツに施された処理の内容を示す情報であることを特徴とする請求項11に記載された情報処理装置。
【請求項１４】
前記合成手段によって合成される情報は前記処理手段の識別情報であることを特徴とする請求項11に記載された情報処理装置。
【請求項１５】
入力されるディジタルコンテンツを処理するステップと、
前記入力されたディジタルコンテンツに電子透かしデータが埋め込まれている場合は前記電子透かしデータを抽出して前記前記処理後のディジタルコンテンツを出力し、前記電子透かしデータが埋め込まれていない場合は前記処理後のディジタルコンテンツを出力しないステップと、
前記抽出された電子透かしデータに別の情報を合成するステップと、
前記合成された電子透かしデータを、前記処理後のディジタルコンテンツに埋め込むステップとを有することを特徴とする情報処理方法。
【請求項１６】
情報処理装置を制御して、請求項5、請求項10、請求項15の何れかに記載された情報処理を実現するコンピュータプログラムが記録されたことを特徴とするコンピュータが読み取り可能な記録媒体。
【手続補正３】
【補正対象書類名】明細書
【補正対象項目名】０００１
【補正方法】変更
【補正の内容】
【０００１】
【発明の属する技術分野】
本発明は情報処理装置およびその方法に関し、例えば、ディジタルコンテンツを処理する情報処理に関する。
【手続補正４】
【補正対象書類名】明細書
【補正対象項目名】００１２
【補正方法】変更
【補正の内容】
【００１２】
本発明は、ディジタルコンテンツに埋め込まれた情報を正しく継承することを目的とする。
【手続補正５】
【補正対象書類名】明細書
【補正対象項目名】００１３
【補正方法】変更
【補正の内容】
【００１３】
さらに、ディジタルコンテンツの処理に関する情報を、ディジタルコンテンツとともに管理することを他の目的とする。
【手続補正６】
【補正対象書類名】明細書
【補正対象項目名】００１５
【補正方法】変更
【補正の内容】
【００１５】
本発明にかかる情報処理装置は、入力されるディジタルコンテンツに埋め込まれた情報を抽出する抽出手段と、前記抽出手段の抽出結果に基づき、前記ディジタルコンテンツの出力を制御し、前記抽出手段の抽出結果が埋め込まれた情報が抽出されなかったことを示す場合、前記ディジタルコンテンツを出力しない制御手段と、前記制御手段の制御によって出力されたディジタルコンテンツを処理する処理手段と、前記抽出手段によって抽出された情報に別の情報を合成する合成手段と、前記合成手段によって合成された情報を、前記処理手段によって処理されたディジタルコンテンツに埋め込む埋込手段とを有することを特徴とする。
【手続補正７】
【補正対象書類名】明細書
【補正対象項目名】００１６
【補正方法】変更
【補正の内容】
【００１６】
また、暗号化されたディジタルコンテンツに埋め込まれた情報を抽出する抽出手段と、前記抽出手段によって抽出された情報に含まれるデータを鍵として、前記ディジタルコンテンツを復号する復号手段と、前記復号手段によって復号されたディジタルコンテンツを処理する処理手段と、前記抽出手段によって抽出された情報に別の情報を合成する合成手段と、前記処理手段によって処理されたディジタルコンテンツを暗号化する暗号化手段と、前記合成手段によって合成された情報および前記暗号化手段から出力される鍵情報を、前記処理手段によって処理されたディジタルコンテンツに埋め込む埋込手段とを有することを特徴とする。
【手続補正８】
【補正対象書類名】明細書
【補正対象項目名】００１７
【補正方法】変更
【補正の内容】
【００１７】
本発明にかかる情報処理方法は、入力されるディジタルコンテンツに埋め込まれた情報を抽出し、前記抽出の結果が埋め込まれた情報が抽出されなかったことを示す場合は前記ディジタルコンテンツを処理しないように、前記抽出の結果に基づき、前記ディジタルコンテンツの処理を制御し、前記抽出された情報に別の情報を合成し、前記合成された情報を、前記処理されたディジタルコンテンツに埋め込むことを特徴とする。
【手続補正９】
【補正対象書類名】明細書
【補正対象項目名】００１８
【補正方法】変更
【補正の内容】
【００１８】
また、暗号化されたディジタルコンテンツに埋め込まれた情報を抽出し、前記抽出された情報に含まれるデータを鍵として、前記ディジタルコンテンツを復号し、前記復号されたディジタルコンテンツを処理し、前記抽出された情報に別の情報を合成し、前記処理されたディジタルコンテンツを暗号化し、前記合成された情報および前記暗号化に関する鍵情報を、前記処理されたディジタルコンテンツに埋め込むことを特徴とする。
【手続補正１０】
【補正対象書類名】明細書
【補正対象項目名】００１９
【補正方法】変更
【補正の内容】
【００１９】
本発明にかかる情報処理装置は、入力されるディジタルコンテンツを処理するとともに、前記入力されたディジタルコンテンツに電子透かしデータが埋め込まれている場合は前記電子透かしデータを抽出して前記処理後のディジタルコンテンツを出力し、前記電子透かしデータが埋め込まれていない場合は前記処理後のディジタルコンテンツを出力しない処理手段と、前記抽出された電子透かしデータに別の情報を合成する合成手段と、前記合成手段によって処理された電子透かしデータを、前記処理後のディジタルコンテンツに埋め込む埋込手段とを有することを特徴とする。
【手続補正１１】
【補正対象書類名】明細書
【補正対象項目名】００２０
【補正方法】変更
【補正の内容】
【００２０】
また、入力されるディジタルコンテンツを処理するステップと、前記入力されたディジタルコンテンツに電子透かしデータが埋め込まれている場合は前記電子透かしデータを抽出して前記前記処理後のディジタルコンテンツを出力し、前記電子透かしデータが埋め込まれていない場合は前記処理後のディジタルコンテンツを出力しないステップと、前記抽出された電子透かしデータに別の情報を合成するステップと、前記合成された電子透かしデータを、前記処理後のディジタルコンテンツに埋め込むステップとを有することを特徴とする。
【手続補正１２】
【補正対象書類名】明細書
【補正対象項目名】０１０２
【補正方法】変更
【補正の内容】
【０１０２】
【発明の効果】
以上に説明したように、本発明によれば、ディジタルコンテンツに埋め込まれた情報を正しく継承することができる。
【手続補正１３】
【補正対象書類名】明細書
【補正対象項目名】０１０３
【補正方法】変更
【補正の内容】
【０１０３】
さらに、ディジタルコンテンツの処理に関する情報を、ディジタルコンテンツとともに管理することが可能になる。